(57)【特許請求の範囲】
【請求項１】
かご室の側壁を構成し互いの水平方向の幅方向の延長線が直交する側板同士の間に配置され、前記かご室の前記側壁の少なくとも一部を構成する照光扉と、ヒンジを介して前記照光扉を支える支持フレームと、を含み、前記照光扉は、光を照射する発光素子と、前記発光素子から照射された光を導光し、前記かご室内側に照光する導光板と、前記導光板に対して前記かご室内側に隣接して配置され、模様、色彩、またはこれらの組み合わせが施された透光板と、を有し、前記照光扉の前記かご室内側の面は、一方の側板の前記かご室内側の面に対して平行で面一となり、他方の側板の前記かご室内側の面に対して直交する方向に延在され、かつ、前記他方の側板の前記かご室内側の面の延長線を超えて延在されており、前記ヒンジは、前記照光扉に対して前記かご室外側に配置され、前記照光扉に対する前記ヒンジの芯棒の位置は、前記支持フレームに対して前記照光扉が前記かご室内側に開放される際に、前記照光扉の水平方向の前記他方の側板側の端部が前記かご室外側に向かって移動するように、前記照光扉の水平方向の前記他方の側板側の端部から前記一方の側板側に偏倚した位置となっていることを特徴とする照光式側板。
【請求項２】
前記照光扉は、前記かご室外側に配置された前記ヒンジを介して前記支持フレームに支持され、前記ヒンジを回動中心として前記かご室内側に開閉可能となり、前記ヒンジを介して前記照光扉が前記かご室内側に開放された状態で、前記ヒンジの前記芯棒を挿抜することによって、前記支持フレームに対して前記照光扉が着脱可能となることを特徴とする請求項１に記載の照光式側板。
【請求項３】
前記ヒンジには、前記照光扉が前記支持フレームに対して開放された開放位置を規制する規制部が設けられ、前記規制部は、前記ヒンジを介して前記支持フレームに支持される前記照光扉を前記かご室内側に開放しても、前記ヒンジを回動中心として開放された前記照光扉が前記他方の側板に接触する前に、前記ヒンジを構成する板状羽根の板状部と当接するように設定されていることを特徴とする請求項２に記載の照光式側板。
【請求項４】
前記発光素子から照射される光の発光パターンを制御する発光制御手段をさらに備えることを特徴とする請求項１から請求項３のいずれか一項に記載の照光式側板。 
【発明の詳細な説明】
【技術分野】
【０００１】
本発明の実施形態は、照光式側板に関する。
【背景技術】
【０００２】
従来、エレベータのかご室では、かご室内の意匠性を向上させるため、かごドアからかご室内側に向けて、かごドアに取り付けられた光源の光を照光させている。
【先行技術文献】
【特許文献】
【０００３】
【特許文献１】特開２００４−２０３６１２号公報
【発明の概要】
【発明が解決しようとする課題】
【０００４】
ところで、従来技術のかご室では、側壁からかご室内側に照光することは考慮されていなかった。
【０００５】
したがって、本発明が解決しようとする課題は、側壁からかご室内側に照光することができる照光式側板を提供することにある。
【課題を解決するための手段】
【０００６】
実施形態の照光式側板は、照光扉と、支持フレームと、を含む。照光扉は、かご室の側壁を構成し互いの水平方向の幅方向の延長戦が直行する側板同士の間に配置されている。照光扉は、かご室の側壁の少なくとも一部を構成する。支持フレームは、ヒンジを介して照光扉を支える。ヒンジは、照光扉に対してかご室外側に配置されている。照光扉は、発光素子と、導光板と、透光板と、を備える。発光素子は、光を照射する。導光板は、かご室内側に照光する。透光板は、導光板に対してかご室内側に隣接して配置され、模様、色彩、またはこれらの組み合わせが施されている。照光扉のかご室内側の面は、一方の側板のかご室内側の面に対して平行で面一となる。照光扉のかご室内側の面は、他方の側板のかご室内側の面に対して直交する方向に延在される。照光扉のかご室内側の面は、他方の側板のかご室内側の面の延長線を超えて延在される。照光扉に対するヒンジの芯棒の位置は、支持フレームに対して照光扉がかご室内側に開放される際に、照光扉の水平方向の他方の側板側の端部がかご室外側に向かって移動するように、照光扉の水平方向の他方の側板側の端部から一方の側板側に偏倚した位置となっている。
【図面の簡単な説明】
【０００７】
【図１】図１は、実施形態１に係るエレベータの全体の概略構成例を示す模式図である。
【図２】図２は、実施形態１に係る照光式側板の概略構成例を示す斜視図である。
【図３】図３は、実施形態１に係る照光式側板の概略構成例を示す断面図である。
【図４】図４は、実施形態１に係る照光式側板の概略構成例を示す断面図である。
【図５】図５は、実施形態１に係る照光式側板の概略構成例を示す斜視図である。
【図６】図６は、実施形態１に係る照光式側板の概略構成例を示す斜視図である。
【図７】図７は、実施形態１に係る照光扉の概略構成例を示す斜視図である。
【図８】図８は、実施形態１に係る支持部の概略構成例を示す斜視図である。
【図９】図９は、実施形態１に係る支持部の概略構成例を示す斜視図である。
【図１０】図１０は、実施形態１に係る光源部の概略構成例を示す図である。
【図１１】図１１は、実施形態１に係る支持フレームの概略構成例を示す斜視図である。
【図１２】図１２は、実施形態１に係るヒンジの概略構成例を示す斜視図である。
【図１３】図１３は、実施形態１に係るヒンジの概略構成例を示す斜視図である。
【図１４】図１４は、実施形態１に係る照光式側板の動作の一例を示す斜視図である。
【図１５】図１５は、実施形態１に係る照光式側板の動作の一例を示す図である。
【図１６】図１６は、実施形態１に係る照光式側板の着脱の動作の一例を示す図である。
【図１７】図１７は、実施形態１に係る照光式扉のメンテナンスの一例を示す図である。
【図１８】図１８は、実施形態２に係る照光扉の概略構成例を示す斜視図である。
【発明を実施するための形態】
【０００８】
［実施形態１］
図１は、実施形態１に係るエレベータの全体の概略構成例を示す模式図である。図２、図５および図６は、実施形態１に係る照光式側板の概略構成例を示す斜視図である。図３および図４は、実施形態１に係る照光式側板の概略構成例を示す断面図である。図７は、実施形態１に係る照光扉の概略構成例を示す斜視図である。図８および図９は、実施形態１に係る支持部の概略構成例を示す斜視図である。図１０は、実施形態１に係る光源部の概略構成例を示す図である。図１１は、実施形態１に係る支持フレームの概略構成例を示す斜視図である。図１２および図１３は、実施形態１に係るヒンジの概略構成例を示す斜視図である。
【０００９】
図１に示す実施形態１に係るエレベータ１は、建造物（建築物ともいう）の昇降路（図示省略）内に設置されて、乗りかご１０のかご室１０ａ（図２参照）内に設けられた操作盤の各種の釦の操作入力に基づいて、乗客や積荷等を建造物の任意の階の乗り場へ運搬するものである。ここで、昇降路は、建造物の複数の階にわたって設けられ、かつ鉛直方向に沿って直線状に延びている。本実施形態に係るエレベータ１は、乗りかご１０が昇降路内を昇降することで、任意の階の乗り場に移動することができるものである。
【００１０】
エレベータ１は、図１に示すように、乗りかご１０と、駆動機構２０と、カウンタウェイト３０と、エレベータ制御部４０と、を含んで構成されている。
【００１１】
乗りかご１０は、昇降路内に鉛直方向に移動可能に収容されている。乗りかご１０は、図１に示すように、一対のかご用ガイドレール２同士の間に位置する大きさに形成されている。乗りかご１０は、図２に示すように、かご室１０ａを有している。
【００１２】
一対のかご用ガイドレール２は、図１に示すように、水平方向に互いに間隔をあけて、鉛直方向に対して互いに平行に昇降路内に設けられている。一対のかご用ガイドレール２は、鉛直方向に対して平行となる直線状に延びている。一対のかご用ガイドレール２は、互いの間に乗りかご１０を位置付けて、乗りかご１０を鉛直方向に昇降可能に支持している。
【００１３】
かご室１０ａは、乗客を乗せたり積荷等を載せたりするための空間である。かご室１０ａは、図１から図３に示すように、床板１１と、巾木１２と、側板１３と、天井板１４と、かごドア１５と、照光式側板１６と、により囲まれて箱状に形成されている。
【００１４】
床板１１は、かご室１０ａの床を構成するものである。床板１１は、例えば、水平面に対して平行で平坦な平板状に形成され、鉛直方向視で四角形状に形成されている。床板１１は、乗りかご１０に対して、かご室１０ａ外側で、チャンネル鋼Ｃと締結部材Ｔ（例えばボルトとナット等）とにより取り付けられ、固定されている。
【００１５】
巾木１２は、乗客や積荷等から側板１３を保護するものである。巾木１２は、鉛直方向において、床板１１と側板１３との間に配置され、床板１１と側板１３とに隣接している。巾木１２は、鉛直方向に平行で平坦な平板状に形成され、水平方向に延在されて鉛直方向の幅より水平方向の幅が広く形成されている。巾木１２は、例えば、四角形状の床板１１の各辺に沿って複数立設され、互いの長手方向の端部同士が隣接するように配置されている。巾木１２は、床板１１に対して、かご室１０ａ外側で、チャンネル鋼Ｃと締結部材Ｔとにより取り付けられ、固定されている。巾木１２には、かご室１０ａ外側の鉛直方向の上端側に、チャンネル鋼Ｃを介してボールプランジャ１２ａが取り付けられている。ボールプランジャ１２ａは、圧縮コイルばね等の付勢手段により、ボール１２ｂを鉛直方向の上方に向けて付勢している。
【００１６】
側板１３は、かご室１０ａの側壁１０ｂを構成するものである。側板１３は、鉛直方向に平行な平板状に形成され、水平方向の幅より鉛直方向の幅が広く形成されている。側板１３は、巾木１２から複数立設され、互いの水平方向の端部同士が隣接するように配置されている。側板１３は、鉛直方向視で、かご室１０ａの空間を囲む四角形状に配置され、かご室１０ａの空間を囲む側壁１０ｂを形成している。側板１３は、巾木１２に対して、かご室１０ａ外側で、チャンネル鋼（図示省略）と締結部材（図示省略）とにより取り付けられ、固定されている。
【００１７】
天井板１４は、かご室１０ａの天井を構成するものである。天井板１４は、床板１１に対して、鉛直方向の上方に間隔をおいて対向配置されている。天井板１４は、側板１３に対して、かご室１０ａ外側で、チャンネル鋼（図示省略）と締結部材（図示省略）とにより取り付けられ、固定されている。天井板１４には、かご室１０ａ内を光で照らす照明装置１４ａが設けられている。照明装置１４ａは、天井板１４に対して、かご室１０ａ内側に配置されている。照明装置１４ａは、例えば、ＬＥＤ（Light  Emitting  Diode）、冷陰極管、蛍光管、白熱電球等の光源、および光源を駆動するためのインバータ等の駆動回路などを備えている。照明装置１４ａは、カバー１４ｂにより覆われている。カバー１４ｂは、照光式側板１６と干渉しないように、鉛直方向において、下端部の位置が、照光式側板１６の上端部の位置より上方に位置している。
【００１８】
かごドア１５は、電動機（モータ）等を含んで構成されるドア開閉機構により開閉駆動され、エレベータ制御部４０により開閉駆動が制御される。かごドア１５は、乗りかご１０が任意の階の着床位置に着床している場合に開放可能である。なお、かごドア１５は、図１では両開きのドアとして図示しているが、片開きのドアであってもよい。
【００１９】
照光式側板１６は、かご室１０ａ内側に照光するものであり、側板１３とともにかご室１０ａの側壁１０ｂを構成するものである。照光式側板１６は、いわゆるエッジライト方式で照光する。照光式側板１６は、側板１３の鉛直方向の幅より狭い幅で、側板１３の水平方向の幅より狭い幅で、水平方向の幅より鉛直方向の幅が広い。本実施形態では、照光式側板１６は、図２に示すように、互いの水平方向の幅方向の延長線が直交する側板１３ａ、１３ｂ同士の間に配置されている。照光式側板１６のかご室１０ａ内側の面は、一方の側板１３ａのかご室１０ａ内側の面に対して、平行で面一となっている。また、照光式側板１６のかご室１０ａ内側の面は、他方の側板１３ｂのかご室１０ａ内側の面に対して、直交する方向に延在され、間隔をおいて一部が重なっている。照光式側板１６は、鉛直方向視で、側板１３とともにかご室１０ａの空間を囲む側壁１０ｂを形成している。照光式側板１６は、かご室１０ａに対して、一つ配置されていてもよいし、複数配置されていてもよい。照光式側板１６は、図５および図６に示すように、照光扉１６１と、支持フレーム１６２と、遮光カバー１６３と、上部パネル１６４と、を備えている。
【００２０】
照光扉１６１は、かご室１０ａの側壁１０ｂの少なくとも一部を構成するものである。照光扉１６１は、図２に示すように、一方の側板１３ａに対して、面一となっている。照光扉１６１は、水平方向の他方の側板１３ｂ側の端部が、他方の側板１３ｂのかご室１０ａ外側に配置されている。照光扉１６１は、鉛直方向の下端部の下方に巾木１２が配置されている。照光扉１６１は、鉛直方向視で、側板１３とともにかご室１０ａの空間を囲む側壁１０ｂを形成している。つまり、照光扉１６１は、側壁１０ｂの少なくとも一部を構成している。照光扉１６１は、支持フレーム１６２に対して、図１３に示すヒンジＨを介して着脱可能に取り付けられている。また、照光扉１６１は、支持フレーム１６２に対して、かご室１０ａ内側に開閉可能に支持されている。照光扉１６１は、巾木１２、一方の側板１３ａ、他方の側板１３ｂおよび上部パネル１６４に対して、照光扉１６１の開閉に支障がない（つまり互いに干渉しない）隙間があけられている。照光扉１６１は、図７に示すように、支持板１６１ａと、背板１６１ｂと、導光板１６１ｃと、透光板１６１ｄと、縁枠１６１ｅと、を備えている。
【００２１】
支持板１６１ａは、背板１６１ｂ、導光板１６１ｃおよび透光板１６１ｄを支持するものである。支持板１６１ａは、図８および図９に示すように、鉛直方向に平行な平板状に形成され、水平方向の幅より鉛直方向の幅が広く形成されている。支持板１６１ａは、図９に示すように、かご室１０ａ外側の面に取り付けられた補強部１６１ｈによって機械的強度が補強されている。支持板１６１ａは、鉛直方向の上端側と下端側とに、ねじ部材（図示省略）を締め付けることで背板１６１ｂを固定するための取付穴ｈを有している。支持板１６１ａは、水平方向の一方の側板１３ａ側の端部を曲げ加工等によりかご室１０ａ外側に向けて曲げて形成された縁枠側面側取付部１６１ｉと、鉛直方向の上端部を曲げ加工等によりかご室１０ａ外側に向けて曲げて形成された縁枠上端側取付部１６１ｕと、鉛直方向の下端部を曲げ加工等によりかご室１０ａ外側に向けて曲げて形成された縁枠下端側取付部１６１ｗと、を一体に有している。支持板１６１ａは、水平方向の他方の側板１３ｂ側の端部に、鉛直方向の全幅にわたってブラケット部１６１ｇが取り付けられている。
【００２２】
縁枠側面側取付部１６１ｉは、図４および図９に示すように、締結部材Ｔにより、縁枠１６１ｅの後述する側面側取付部１６１ｑと固定される。縁枠上端側取付部１６１ｕは、図３および図７に示すように、締結部材Ｔにより、縁枠１６１ｅの後述する上端側取付部１６１ｏと固定される。縁枠下端側取付部１６１ｗは、締結部材Ｔにより、縁枠１６１ｅの後述する下端側取付部１６１ｐと固定される。
【００２３】
ブラケット部１６１ｇには、図８および図９に示すように、かご室１０ａ内側に縁枠取付部１６１ｋが取り付けられ、かご室１０ａ外側にヒンジＨを構成する板状羽根１６１ｊが取り付けられている。縁枠取付部１６１ｋは、鉛直方向に平行な平板状に形成されている。縁枠取付部１６１ｋは、鉛直方向に延在されるフラットバーである。縁枠取付部１６１ｋは、ねじ部材（図示省略）を締め付けることで縁枠１６１ｅを固定するための取付穴ｈを有している。板状羽根１６１ｊは、図１２および図１３に示すように、ヒンジＨを構成する一方の羽根である。板状羽根１６１ｊは、ブラケット部１６１ｇに固定される板状部１６１ｓと、芯棒Ｓを介して後述するＵ字状羽根１６２ｊに連結される軸筒部１６１ｔと、を一体に有している。板状部１６１ｓは、ブラケット部１６１ｇに対して締結されるねじ部材（図示省略）が取り付けられる取付穴ｈを有している。軸筒部１６１ｔは、板状部１６１ｓに対して鉛直方向に間隔をおいて二つ配置され、鉛直方向に貫通する円筒状に形成されている。軸筒部１６１ｔは、鉛直方向に延在されて円柱状に形成された芯棒Ｓが挿抜可能に挿入され、芯棒Ｓを鉛直方向に平行な回動中心として回動可能である。軸筒部１６１ｔは、芯棒Ｓを介して後述するＵ字状羽根１６２ｊの軸筒部１６２ｍと同軸上で連結され、軸筒部１６２ｍに対して相対的に回動される。
【００２４】
背板１６１ｂは、導光板１６１ｃを支持するものであり、導光板１６１ｃに対して光を照射するものである。背板１６１ｂは、図７および図１０に示すように、支持板１６１ａと導光板１６１ｃとの間に配置される。背板１６１ｂは、図４に示すように、支持板１６１ａ上に重ねられるように、支持板１６１ａと鉛直方向の幅が同じ幅で、支持板１６１ａより水平方向の幅が狭い幅の平板状に形成されている。背板１６１ｂは、かご室１０ａ内側の表面が光を反射しやすいように形成されていることが好ましい。また、背板１６１ｂは、放熱しやすいように、アルミニウム等で構成されていることが好ましい。背板１６１ｂは、図７に示すように、鉛直方向の上端側と下端側とに、支持板１６１ａに締結されるねじ部材（図示省略）の取付穴ｈを有している。背板１６１ｂは、発光素子１６１ｍと、ヒートシンク１６１ｎと、を一体的に備えている。
【００２５】
発光素子１６１ｍは、光を照射するものである。本実施形態では、発光素子１６１ｍは、可視光を照射するＬＥＤ（Light  Emitting  Diode）である。発光素子１６１ｍとしては、例えば、赤色ＬＥＤ、緑色ＬＥＤおよび青色ＬＥＤを組み込んで、白色光を照射可能なＬＥＤチップが用いられる。発光素子１６１ｍは、かご電源から給電され、ＬＥＤチップを駆動する駆動回路により点灯駆動される。発光素子１６１ｍは、所望の照度や面発光が得られるように、鉛直方向に間隔をおいて、複数配置されている。発光素子１６１ｍは、導光板１６１ｃが背板１６１ｂに支持された際に、導光板１６１ｃの水平方向の一端面と対向するように、ヒートシンク１６１ｎに取り付けられている。つまり、発光素子１６１ｍは、導光板１６１ｃの水平方向の端部（他方の側板１３ｂ側の端部）に対して光を照射する、いわゆるエッジライトである。駆動回路には、着脱可能なコネクタ機構を介して、かご電源から電力を供給する動力線（図示省略）が接続されている。動力線は、照光扉１６１と支持フレーム１６２との間に形成される隙間に配索され、かご電源に接続されている。ヒートシンク１６１ｎは、図７および図１０に示すように、背板１６１ｂのかご室１０ａ内側の面の水平方向の端部（他方の側板１３ｂ側の端部）に、鉛直方向の全幅にわたって設けられている。ヒートシンク１６１ｎは、鉛直方向視で、四角形状に形成されている。ヒートシンク１６１ｎは、放熱しやすいように、アルミニウム等で構成されていることが好ましい。
【００２６】
導光板１６１ｃは、発光素子１６１ｍから照射された光を導光し、かご室１０ａ内側に照光するものである。導光板１６１ｃは、例えば、透明なアクリル樹脂の板、または透明なポリカーボネート樹脂の板等で構成されている。導光板１６１ｃは、図４および図７に示すように、背板１６１ｂと透光板１６１ｄとの間に配置される。導光板１６１ｃは、背板１６１ｂ上に重ねられるように、背板１６１ｂと鉛直方向の幅が同じ幅で、背板１６１ｂより水平方向の幅が狭い平板状に形成されている。導光板１６１ｃは、例えば、背板１６１ｂと対向する面に反射ドットを印刷、または溝をレーザー加工等により形成したものであってもよいし、射出成形等で凹凸を形成したものであってもよい。導光板１６１ｃは、背板１６１ｂに支持された状態で、水平方向の端部（他方の側板１３ｂ側の端部）と対向する発光素子１６１ｍから照射された光を内部で反射させながら、導光板１６１ｃの全体に導光する。また、導光板１６１ｃは、背板１６１ｂとは反対側の面、つまり透光板１６１ｄと対向する面を面発光させ、透光板１６１ｄと対向する面からかご室１０ａ内側へ照光する。
【００２７】
透光板１６１ｄは、導光板１６１ｃから照光された光を透光するものであり、導光板１６１ｃを保護するものである。透光板１６１ｄは、図７に示すように、導光板１６１ｃと鉛直方向の幅および水平方向の幅が同等の平板状に形成されている。透光板１６１ｄは、図３および図７に示すように、導光板１６１ｃと縁枠１６１ｅとの間に配置される。透光板１６１ｄは、例えば、透明なガラスの板、透明なアクリル樹脂の板、または和紙などを挟み込んだ透明な合わせガラスの板、導光板１６１ｃと対向する面に模様や色彩が印刷されたシートを張り付けた透明な板等、面発光する導光板１６１ｃから照光される光を透過させることができる板である。また、透光板１６１ｄは、かご室１０ａ内側の全面が均一に面発光するように、導光板１６１ｃと対向する面に拡散シートが貼り付けられていてもよいし、導光板１６１ｃと対向する面が乳白色のすりガラス状に形成されていてもよい。透光板１６１ｄは、導光板１６１ｃから照光された光をかご室１０ａ内側に透過させることで、かご室１０ａ内側に照光する。なお、透光板１６１ｄは、模様（文字なども含む）や色彩、またはこれらの組み合わせが施され、かご室１０ａ内の乗客に対して、視覚を通じて美観を起こさせるものであることが好ましい。
【００２８】
縁枠１６１ｅは、支持板１６１ａとの間に、背板１６１ｂ、導光板１６１ｃおよび透光板１６１ｄを固定するものである。縁枠１６１ｅは、図７に示すように、透光板１６１ｄのかご室１０ａ内側の面と連通する開口が形成され、透光板１６１ｄのかご室１０ａ内側の面の縁を覆う四角形状に形成されている。縁枠１６１ｅは、図７に示すように、支持板１６１ａの縁枠取付部１６１ｋ（フラットバー）と締結するねじ部材（図示省略）が取り付けられる取付穴ｈを有している。縁枠１６１ｅは、水平方向の他方の側板１３ｂ側の端部（縁枠取付部１６１ｋに固定される端部とは反対側の端部）を曲げ加工等によりかご室１０ａ外側に向けて曲げて形成された側面側取付部１６１ｑと、鉛直方向の上端部を曲げ加工等によりかご室１０ａ外側に向けて曲げて形成された上端側取付部１６１ｏと、鉛直方向の下端部を曲げ加工等によりかご室１０ａ外側に向けて曲げて形成された下端側取付部１６１ｐと、を一体に有している。縁枠１６１ｅは、支持板１６１ａに対して背板１６１ｂ、導光板１６１ｃおよび透光板１６１ｄが重ねられた状態で、支持板１６１ａに取り付けられることで、各板１６１ｂ〜１６１ｄを重ね合わせて固定する。縁枠１６１ｅは、図２および図４に示すように、複数の側板１３とともにかご室１０ａの側壁１０ｂを形成する際に、ねじ部材（図示省略）により縁枠取付部１６１ｋと固定される部分が、他方の側板１３ｂのかご室１０ａ外側に位置し、他方の側板１３ｂによってかご室１０ａ内の乗客からは見えない。なお、縁枠１６１ｅの各取付部１６１ｏ〜１６１ｑには、図３および図４に示すように、縁枠１６１ｅが支持板１６１ａに固定された際に、各板１６１ａ〜１６１ｄの端部と当接して、各板１６１ａ〜１６１ｄのがたつきを抑える目地１６１ｒが設けられている。つまり、縁枠１６１ｅは、目地１６１ｒを介して、各板１６１ａ〜１６１ｄを挟み込んで固定する。目地１６１ｒとしては、各板１６１ａ〜１６１ｄに対して可撓性を発揮するゴム材、いわゆるコーキング材、またはいわゆるシーリング材などが用いられる。
【００２９】
側面側取付部１６１ｑは、図４および図９に示すように、取付穴ｈを有しており、締結部材Ｔにより、支持板１６１ａの縁枠側面側取付部１６１ｉと固定される。上端側取付部１６１ｏは、図３および図７に示すように、取付穴ｈを有しており、締結部材Ｔにより、支持板１６１ａの縁枠上端側取付部１６１ｕと固定される。下端側取付部１６１ｐは、図３および図９に示すように、取付穴ｈを有しており、締結部材Ｔにより、支持板１６１ａの縁枠下端側取付部１６１ｗと固定される。
【００３０】
支持フレーム１６２は、照光扉１６１をかご室１０ａ内側に開閉可能に支持するものである。支持フレーム１６２は、図４に示すように、ヒンジＨを介して照光扉１６１を支えている。支持フレーム１６２は、図３から図５に示すように、水平方向の幅が照光扉１６１の水平方向の幅より狭く、鉛直方向の幅が照光扉１６１の鉛直方向の幅より広い。支持フレーム１６２は、鉛直方向において、照明装置１４ａのカバー１４ｂと照光扉１６１とが干渉しない幅に設定、つまり床板１１からカバー１４ｂまでの幅と同等の幅に設定されている。支持フレーム１６２は、図３に示すように、床板１１に対して、かご室１０ａ外側で、締結部材Ｔにより取り付けられ、固定されている。また、支持フレーム１６２は、図４に示すように、一方の側板１３ａに対して、かご室１０ａ外側で、チャンネル鋼Ｃと締結部材Ｔとにより取り付けられ、固定されている。支持フレーム１６２は、図１１に示すように、フレーム本体部１６２ａと、パネル取付部１６２ｂと、床板取付部１６２ｃと、側板取付部１６２ｄと、ブラケット１６２ｅと、を一体に有している。
【００３１】
フレーム本体部１６２ａは、図１１に示すように、鉛直方向に間隔をおいて、複数の点検口１６２ｆを有している。点検口１６２ｆは、昇降路側から作業員が点検するための開口である。点検口１６２ｆは、図６に示すように、点検カバー１６２ｈにより覆われて塞がれる。点検カバー１６２ｈは、点検口１６２ｆより大きい平板状に形成されている。点検カバー１６２ｈは、複数の取付穴ｈを有しており、ねじ部材（図示省略）により支持フレーム１６２のかご室１０ａ外側の面に取り付けられ、固定される。また、フレーム本体部１６２ａのかご室１０ａ内側の面には、図１１に示すように、隣り合う点検口１６２ｆの間に磁石取付部１６２ｇが取り付けられている。つまり、フレーム本体部１６２ａには、鉛直方向に間隔をおいて、複数の磁石取付部１６２ｇが取り付けられている。磁石取付部１６２ｇは、図４および図１１に示すように、水平方向の一方の側板１３ａ側の端部側に取り付けられている。磁石取付部１６２ｇは、鉛直方向視で、Ｌ字形状に形成されている。磁石取付部１６２ｇには、照光扉１６１の支持板１６１ａのかご室１０ａ外側の面と対向して接触し、支持板１６１ａに吸着する磁石１６２ｉが取り付けられている。磁石１６２ｉは、例えば、かご室１０ａ内の作業員によって照光扉１６１がかご室１０ａ外側に向けて押される押下操作で、磁石取付部１６２ｇに対して、かご室１０ａ内側に向けて突出した突出状態と、かご室１０ａ外側に向けて後退した後退状態とに切り替え可能な進退機構（いわゆるプッシュ式マグネットキャッチ機構）を備えている。磁石１６２ｉとしては、特に限定されないが、フェライト磁石、ネオジム磁石またはサマリウムコバルト磁石等、支持板１６１ａを吸着することができる磁力の永久磁石が用いられる。また、磁石１６２ｉは、磁気回路を構成する継鉄（ヨーク）を備えていることが好ましく、継鉄と支持板１６１ａとを接触させることが好ましい。
【００３２】
パネル取付部１６２ｂは、図３および図１１に示すように、支持フレーム１６２の鉛直方向の上端部を曲げ加工等によりかご室１０ａ内側に向けて曲げて形成されている。パネル取付部１６２ｂは、かご室１０ａ外側で、締結部材Ｔにより上部パネル１６４が取り付けられる取付穴ｈを有している。つまり、パネル取付部１６２ｂは、締結部材Ｔにより、上部パネル１６４に取り付けられ、固定される。
【００３３】
床板取付部１６２ｃは、支持フレーム１６２の鉛直方向の下端部を曲げ加工等によりかご室１０ａ内側に向けて曲げて形成されている。床板取付部１６２ｃは、かご室１０ａ外側で、締結部材Ｔにより床板１１に取り付けられる取付穴ｈを有している。つまり、床板取付部１６２ｃは、締結部材Ｔにより、床板１１に取り付けられ、固定される。
【００３４】
側板取付部１６２ｄは、図４および図１１に示すように、支持フレーム１６２の水平方向の一端部（一方の側板１３ａ側の端部）を曲げ加工等によりかご室１０ａ内側に向けて曲げて形成されている。側板取付部１６２ｄは、鉛直方向視で、Ｌ字形状に形成されている。側板取付部１６２ｄは、かご室１０ａ外側で、締結部材Ｔにより、一方の側板１３ａに取り付けられて、固定される。
【００３５】
ブラケット１６２ｅは、図４および図１１に示すように、支持フレーム１６２の水平方向の他端部（他方の側板１３ｂ側の端部）を曲げ加工等によりかご室１０ａ内側に向けて曲げて形成されている。ブラケット１６２ｅには、他方の側板１３ｂ側の面に、鉛直方向に間隔をおいて、図１３に示すヒンジＨを構成するＵ字状羽根１６２ｊが複数取り付けられている。
【００３６】
Ｕ字状羽根１６２ｊは、図１２および図１３に示すように、板状羽根１６１ｊとともにヒンジＨを構成する他方の羽根である。Ｕ字状羽根１６２ｊは、支持フレーム１６２のブラケット１６２ｅに固定されるＵ字状部１６２ｋと、芯棒Ｓを介して板状羽根１６１ｊに連結される軸筒部１６２ｍと、を一体に有している。Ｕ字状部１６２ｋは、鉛直方向視で、Ｕ字状に形成されている。Ｕ字状部１６２ｋは、ブラケット１６２ｅに対して締結されるねじ部材（図示省略）が取り付けられる取付穴ｈを有している。また、Ｕ字状部１６２ｋは、取付穴ｈとは反対側に規制部１６２ｎを一体に有している。規制部１６２ｎは、板状羽根１６１ｊと当接することで、板状羽根１６１ｊの芯棒Ｓ周りの回動を規制するものである。規制部１６２ｎは、板状羽根１６１ｊの板状部１６１ｓに当接する当接部１６２ｏが形成され、鉛直方向視で、五角形状の平板状に形成されている。規制部１６２ｎは、図１４に示すように、ヒンジＨを介して支持フレーム１６２に支持される照光扉１６１を開放しても、ヒンジＨを回動中心として開放された照光扉１６１が他方の側板１３ｂに接触する前に、板状部１６１ｓと当接するように設定されている。つまり、規制部１６２ｎは、照光扉１６１が支持フレーム１６２に対して開放された開放位置を規制する。軸筒部１６２ｍは、Ｕ字状部１６２ｋに対して鉛直方向の中央に一つ配置され、鉛直方向に貫通する円筒状に形成されている。軸筒部１６２ｍは、芯棒Ｓが挿抜可能に挿入され、芯棒Ｓを鉛直方向に平行な回動中心として回動可能である。軸筒部１６２ｍは、芯棒Ｓを介して板状羽根１６１ｊの軸筒部１６１ｔと同軸上で連結され、軸筒部１６１ｔに対して相対的に回動される。なお、開放位置は、かご室１０ａ内の作業員により芯棒Ｓを挿抜することができる程度に照光扉１６１が開放され、かつ他方の側板１３ｂと照光扉１６１とが干渉しない位置である。
【００３７】
ここで、ヒンジＨは、図１３に示すように、芯棒Ｓが各軸筒部１６１ｔ、１６２ｍに挿抜可能に挿入され、板状羽根１６１ｊとＵ字状羽根１６２ｊとが互いに芯棒Ｓ周りに相対的に回動可能かつ着脱可能に連結されることで、構成される。つまり、ヒンジＨには、照光扉１６１が支持フレーム１６２に対して開放された開放位置を規制する規制部１６２ｎが設けられている。また、ヒンジＨは、図４に示すように、照光扉１６１に対してかご室１０ａ外側に配置され、照光扉１６１の水平方向の他方の側板１３ｂ側の端部から一方の側板１３ａ側に偏倚した位置に配置されている。このため、照光扉１６１は、支持フレーム１６２に対して、ヒンジＨを介して着脱可能に取り付けられ、かつかご室１０ａ内側に開閉可能に支持される。また、照光扉１６１は、支持フレーム１６２に対して照光扉１６１が開放される際に、照光扉１６１の水平方向の他方の側板１３ｂ側の端部が、かご室１０ａ外側に向かって移動する。
【００３８】
遮光カバー１６３は、照光扉１６１からの光が昇降路側へ漏れることを防止するものである。遮光カバー１６３は、図４から図６に示すように、一方の側板１３ａと平行なカバー本体部１６３ａと、他方の側板１３ｂと平行な側板取付部１６３ｂと、を一体に有している。つまり、遮光カバー１６３は、鉛直方向視で、Ｌ字形状に形成されている。カバー本体部１６３ａのかご室１０ａ外側の面には、点検口（図示省略）を覆って塞ぐ点検カバー１６３ｃが取り付けられている。側板取付部１６３ｂは、他方の側板１３ｂと締結する締結部材Ｔが取り付けられる取付穴ｈを有している。つまり、遮光カバー１６３は、図４に示すように、他方の側板１３ｂに対して、かご室１０ａ外側で、チャンネル鋼Ｃと締結部材Ｔとにより取り付けられ、固定されている。
【００３９】
上部パネル１６４は、照光扉１６１の鉛直方向の上方に配置されるパネルである。上部パネル１６４は、図２および図３に示すように、天井板１４と照光扉１６１との間に配置されている。上部パネル１６４は、一方の側板１３ａのかご室１０ａ内側の表面と平行で面一となるパネル本体部１６４ａと、パネル本体部１６４ａの下端側が曲げ加工等によりかご室１０ａ外側に向けて曲げられたフレーム取付部１６４ｂと、を一体に有している。つまり、パネル本体部１６４ａは、Ｌ字形状に形成されている。パネル本体部１６４ａは、鉛直方向の幅が照明装置１４ａのカバー１４ｂの鉛直方向の幅と同じ幅で、水平方向の幅が縁枠１６１ｅの水平方向の幅と同じである。つまり、パネル本体部１６４ａは、鉛直方向に平行な平板状に形成され、水平方向の幅が鉛直方向の幅より広い長方形状に形成されている。パネル本体部１６４ａは、図３に示すように、天井板１４に対して、かご室１０ａ外側で、チャンネル鋼Ｃと締結部材Ｔとにより取り付けられ、固定されている。パネル本体部１６４ａは、側板１３との一体感を演出するために、側板１３ａのかご室１０ａ内側の表面と同様の外観であることが好ましい。フレーム取付部１６４ｂは、支持フレーム１６２と締結される締結部材Ｔが取り付けられる取付穴ｈを有している。フレーム取付部１６４ｂは、支持フレーム１６２に対して、かご室１０ａ外側で、チャンネル鋼Ｃと締結部材Ｔとにより取り付けられ、固定されている。また、フレーム取付部１６４ｂには、支持フレーム１６２を固定するための固定手段１６４ｃが着脱可能に取り付けられている。固定手段１６４ｃは、チャンネル鋼Ｃに固定されるナットと、ナットと螺合して鉛直方向に立設されるボルトとから構成されている。固定手段１６４ｃは、チャンネル鋼Ｃに対して締め付けることで、鉛直方向の下方に突出して縁枠１６１ｅの上端側取付部１６１ｏと当接し、照光扉１６１が支持フレーム１６２に対して開放されることを規制する。また、固定手段１６４ｃは、ボールプランジャ１２ａにより縁枠１６１ｅの鉛直方向の下端部が上方に向けて押されていることから、ボールプランジャ１２ａを鉛直方向の下方に押し返す程度に締め付けることで、照光扉１６１を支持フレーム１６２に対して固定する。
【００４０】
駆動機構２０は、図１に示すように、例えば、昇降路内に設けられている。駆動機構２０は、図示しない周知の巻き上げ機と、巻き上げ機の出力軸に取り付けられた駆動シーブ２１と、を備えている。駆動シーブ２１は、その鉛直方向の上方に、乗りかご１０とカウンタウェイト３０とに取り付けられたメインロープ２２が架けられている。
【００４１】
カウンタウェイト３０は、昇降路内に鉛直方向に移動可能に収容されている。カウンタウェイト３０は、一対のウェイト用ガイドレール３同士の間に位置する大きさに形成されている。一対のウェイト用ガイドレール３は、互いに水平方向に間隔をおいて、互いに鉛直方向に平行に延在されて昇降路内に設けられている。
【００４２】
エレベータ制御部４０は、例えば、昇降路内に設けられている。エレベータ制御部４０は、図示しないＲＡＭ、ＲＯＭ、ＣＰＵ、入出力ポートおよび記憶装置を備えた演算装置である。エレベータ制御部４０は、テールコード４１を備えている。テールコード４１は、かご電源等に電力を供給する動力線やかご室１０ａ内の操作盤等との間で制御信号を伝送する伝送線を束ねたコードである。テールコード４１は、一端が乗りかご１０に接続され、他端がエレベータ制御部４０に接続されている。エレベータ制御部４０は、エレベータ１の全体の動作を制御する。
【００４３】
次に、上記のように構成された実施形態１に係るエレベータ１の基本動作について説明する。
【００４４】
エレベータ１は、かご室１０ａ内の操作盤による行先階登録操作、または乗り場の呼び装置による呼び登録操作に基づいて、乗りかご１０の現在階、乗りかご１０の昇降方向等に応じて駆動機構２０の駆動動作を制御し、乗りかご１０を任意の階の乗り場へと移動させる。ここで、エレベータ１では、任意の階の乗り場の着床位置に乗りかご１０が着床していることを検出すると、かごドア１５および乗り場ドアを開放する。また、エレベータ１では、かご室１０ａ内の乗客が乗り場に降りることが可能になり、乗り場の乗客がかご室１０ａ内に乗り込むことが可能となる。
【００４５】
また、エレベータ１では、かご電源から発光素子１６１ｍの駆動回路に電力が供給され、発光素子１６１ｍから導光板１６１ｃの水平方向の端部（他方の側板１３ｂ側の端部）に対して光が照射され、照射された光が導光板１６１ｃ内で反射され、透光板１６１ｄと対向する面を面発光させ、透光板１６１ｄを透過してかご室１０ａ内側へ照光される。つまり、エレベータ１では、側壁１０ｂの少なくとも一部を構成する照光扉１６１がかご室１０ａ内側に照光する。
【００４６】
以上のように、実施形態１に係る照光式側板１６によれば、光を照射する発光素子１６１ｍと、発光素子１６１ｍから照射された光を導光し、かご室１０ａ内側に照光する導光板１６１ｃと、を備えた照光扉１６１が、かご室１０ａの側壁１０ｂの一部を構成している。このため、実施形態１に係る照光式側板１６によれば、側壁１０ｂを構成する照光扉１６１からかご室１０ａ内側に照光することができる。したがって、実施形態１に係る照光式側板１６によれば、側壁１０ｂからかご室１０ａ内側に照光することができる。
【００４７】
また、実施形態１に係る照光式側板１６によれば、かご室１０ａの側壁１０ｂからかご室１０ａ内側に照光することで、かご室１０ａ内の乗客に対して、開放感を与えることができ、圧迫感を与えることがない。
【００４８】
また、実施形態１に係る照光式側板１６によれば、かご室１０ａの側壁１０ｂの一部からかご室１０ａ内側に照光するため、側壁１０ｂの全面からかご室１０ａ内側に照光する場合に比べて、かご室１０ａ内の乗客に対して、落ち着いた印象を与えることができる。
【００４９】
また、実施形態１に係る照光式側板１６によれば、透光板１６１ｄに模様や色彩、またはこれらの組み合わせを施すことで、かご室１０ａ内の乗客に対して、視覚を通じて美観を起こさせることができる。このため、実施形態１に係る照光式側板１６によれば、かご室１０ａ内の乗客に対して、退屈感を与えることがない。
【００５０】
また、実施形態１に係る照光式側板１６によれば、導光板１６１ｃに光を照射する発光素子１６１ｍがエッジライトであるので、導光板１６１ｃや透光板１６１ｄが重ねられる方向の照光扉１６１の幅（厚み）を抑制することができる。
【００５１】
次に、図１４から図１７を参照して、実施形態１に係るエレベータ１のメンテナンスについて説明する。図１４は、実施形態１に係る照光式側板の動作の一例を示す斜視図である。図１５は、実施形態１に係る照光式側板の動作の一例を示す図である。図１６は、実施形態１に係る照光式側板の着脱の動作の一例を示す図である。図１７は、実施形態１に係る照光式扉のメンテナンスの一例を示す図である。
【００５２】
エレベータ１は、作業員によるメンテナンスモードへの切り替え指示入力に基づいて、乗りかご１０を所定の階の乗り場へ移動させ、所定の階の乗り場の着床位置に乗りかご１０が着床していることを検出した後、必要があれば、かごドア１５および乗り場ドアを開放させる。ここで、エレベータ１では、エレベータ制御部４０により、エレベータ１の運転モードが通常運転モードからメンテナンスモードへ切り替えられ、かご電源から発光素子１６１ｍの駆動回路への電力の供給が停止される。
【００５３】
昇降路側の作業員が照光扉１６１と固定手段１６４ｃとの締結を解除した後、かご室１０ａ内側の作業員が照光式側板１６の照光扉１６１をかご室１０ａ外側に向かって押し込むことで、支持フレーム１６２の磁石１６２ｉがプッシュ式マグネットキャッチ機構によってかご室１０ａ内側に突出し、一方の側板１３ａと照光扉１６１との間に、作業員が手指を差し入れることのできる隙間を形成する。ここで、照光式側板１６では、ボールプランジャ１２ａと固定手段１６４ｃとによる縁枠１６１ｅの固定が解除される。また、照光式側板１６では、磁石１６２ｉが支持板１６１ａと当接しており、一方の側板１３ａと照光扉１６１との間に隙間が形成された状態で、支持フレーム１６２に照光扉１６１が保持される。また、照光式側板１６では、かご室１０ａ内側の作業員により、照光扉１６１のかご室１０ａ内側の表面、つまり透光板１６１ｄが養生カバーや養生シートで覆われる。
【００５４】
かご室１０ａ内の作業員が一方の側板１３ａと照光扉１６１との間の隙間に手指を差し入れて、照光扉１６１をかご室１０ａ内側に向けて引き、図１４および図１５に示すように、照光扉１６１を支持フレーム１６２に対して開放する。ここで、照光式側板１６では、照光扉１６１の水平方向の他方の側板１３ｂ側の端部が、かご室１０ａ外側に向かって、ヒンジＨの芯棒Ｓ周りにかご室１０ａ外側に向かって移動する。また、照光式側板１６では、図１５に示すように、規制部１６２ｎに板状羽根１６１ｊが当接し、支持フレーム１６２に対して開放された照光扉１６１の開放位置が規制され、照光扉１６１が他方の側板１３ｂと接触しない。また、照光式側板１６では、照明装置１４ａのカバー１４ｂと照光扉１６１とが接触しない。
【００５５】
かご室１０ａ内の作業員が照光扉１６１と支持フレーム１６２との間に入り、例えばラジオペンチ等の工具を用いて芯棒Ｓを鉛直方向の上方に引き抜いて、図１６に示すように、支持フレーム１６２から照光扉１６１をかご室１０ａ内側へ取り外す。ここで、照光式側板１６では、芯棒Ｓが引き抜かれる前に、かご室１０ａ内の作業員により、コネクタ機構によるかご電源と発光素子１６１ｍの駆動回路との接続が解除される。
【００５６】
かご室１０ａ内の作業員が支持板１６１ａから縁枠１６１ｅを取り外し、図１７に示すように、支持板１６１ａ、背板１６１ｂ、導光板１６１ｃ、透光板１６１ｄおよび縁枠１６１ｅを必要に応じて取り換えたり、ＬＥＤチップを交換したり、取り外された照光扉１６１を他の照光扉１６１と交換したりする。
【００５７】
取り換えや交換などを実施した後、かご室１０ａ内の作業員が支持フレーム１６２に対して照光扉１６１を開放位置に保持しつつ、板状羽根１６１ｊの軸筒部１６１ｔとＵ字状羽根１６２ｊの軸筒部１６２ｍとに芯棒Ｓを挿入し、支持フレーム１６２と照光扉１６１とをヒンジＨで連結する。ここで、照光式側板１６では、かご室１０ａ内の作業員により、かご電源と発光素子１６１ｍの駆動回路とがコネクタ機構で接続される。
【００５８】
かご室１０ａ内の作業員が養生カバーや養生シートを照光扉１６１から取り外し、照光扉１６１をかご室１０ａ外側に押し込んで、支持板１６１ａを磁石１６２ｉに当接させて吸着させる。ここで、照光式側板１６では、磁石１６２ｉがプッシュ式マグネットキャッチ機構によってかご室１０ａ外側に後退し、一方の側板１３ａと照光扉１６１とが面一となる。また、照光式側板１６では、縁枠１６１ｅの鉛直方向の下端部にボールプランジャ１２ａが当接される。
【００５９】
昇降路側の作業員が固定手段１６４ｃを照光扉１６１に対して締め付け、ボールプランジャ１２ａと固定手段１６４ｃとにより照光扉１６１を固定する。ここで、エレベータ１では、作業員による通常運転モードへの切り替え指示入力に基づいて、エレベータ１の運転モードがメンテナンスモードから通常運転モードへと切り替えられる。また、エレベータ１では、エレベータ制御部４０により、かご電源から発光素子１６１ｍの駆動回路への電極が供給され、照光扉１６１がかご室１０ａ内側に照光する。
【００６０】
以上のように、実施形態１に係る照光式側板１６によれば、支持フレーム１６２に対して照光扉１６１がヒンジＨを介して着脱可能に取り付けられ、支持フレーム１６２に対して照光扉１６１がかご室１０ａ内側に開閉可能に支持されるので、照光扉１６１を支持フレーム１６２に対してかご室１０ａ内側に開放することができ、照光扉１６１を支持フレーム１６２からかご室１０ａ内側に取り外すことができる。このため、実施形態１に係る照光式側板１６によれば、かご室１０ａ内で、照光扉１６１を構成する各板１６１ａ〜１６１ｄおよび縁枠１６１ｅを取り換えたり、照光扉１６１を交換したりといったメンテナンスを実施することができる。したがって、実施形態１に係る照光式側板１６によれば、かご室１０ａ内でメンテナンスを容易に実施することができ、保守しやすく、安全性を向上することができる。
【００６１】
また、実施形態１に係る照光式側板１６によれば、かご室１０ａ内で透光板１６１ｄの取り換えを実施することができるので、透光板１６１ｄの模様や色彩などを取り換えることで、容易にかご室１０ａ内の意匠を変更することができる。したがって、実施形態１に係る照光式側板１６によれば、例えば定期メンテナンスの際に、透光板１６１ｄの模様や色彩などを取り換えると、定期的にかご室１０ａ内の意匠が変更されるので、すでに利用したことのある乗客に対して、定期的に新しい美観を与えることができる。
【００６２】
また、実施形態１に係る照光式側板１６によれば、照光扉１６１が他方の側板１３ｂに接触する前に、Ｕ字状羽根１６２ｊの規制部１６２ｎが板状羽根１６１ｊの板状部１６１ｓに当接し、照光扉１６１が支持フレーム１６２に対して開放された開放位置を規制するので、照光扉１６１と他方の側板１３ｂとの干渉を防ぐことができる。したがって、実施形態１に係る照光式側板１６によれば、隣接する側板１３との干渉を防ぐことができる。
【００６３】
また、実施形態１に係る照光式側板１６によれば、ヒンジＨがかご室１０ａ外側に配置されるので、かご室１０ａ内の乗客からヒンジＨが見えない。したがって、実施形態１に係る照光式側板１６によれば、かご室１０ａ内の乗客に対して、照光式側板１６の美観を高めることができる。
【００６４】
また、実施形態１に係る照光式側板１６によれば、メンテナンス時を除いて、照光扉１６１がボールプランジャ１２ａと固定手段１６４ｃとにより固定されているので、かご室１０ａ内の乗客により照光扉１６１が不用意に開放されることを防ぐことができる。
【００６５】
また、実施形態１に係る照光式側板１６によれば、かご電源から発光素子１６１ｍの駆動回路に電力を供給する動力線が、照光扉１６１と支持フレーム１６２との間に形成される隙間に配索されるので、コネクタ機構の着脱操作などを実施しやすく、メンテナンスをしやすい。
【００６６】
また、実施形態１に係る照光式側板１６によれば、床板１１、側板１３および天井板１４に対して、チャンネル鋼Ｃや締結部材Ｔにより取り付けられるので、組み付けしやすく、取り外しやすい。
【００６７】
〔実施形態２〕
次に、図１８を参照して、実施形態２に係る照光式側板１６Ａについて説明する。図１８は、実施形態２に係る照光扉の概略構成例を示す斜視図である。
【００６８】
実施形態２に係る照光式側板１６Ａは、発光素子１６１ｍから照射される光の発光パターンを制御する点で、実施形態１に係る照光式側板１６とは異なっている。その他、上述した実施形態１と共通する構成、作用、効果については、重複した説明はできるだけ省略する。
【００６９】
図１８に示す照光式側板１６Ａは、実施形態１に係る照光式側板１６と同様に照光扉１６１と、支持フレーム１６２と、遮光カバー１６３と、上部パネル１６４と、を含み、発光制御手段１６５をさらに備えている。
【００７０】
発光制御手段１６５は、発光素子１６１ｍから照射される光の発光パターンを制御するものである。発光制御手段１６５は、図１８に示すように、例えば、機能概念的に、発光パターン記憶部１６５ａと、発光パターン選択部１６５ｂと、発光制御部１６５ｃと、を含んで構成されている。発光制御手段１６５には、発光素子１６１ｍの駆動回路と接続され、駆動回路に電力を供給する動力線や駆動回路に制御信号を伝送する伝送線を含むコード１６５ｄと、かご電源と接続され、発光制御手段１６５に電力を供給する動力線や発光制御手段１６５に制御信号を伝送する伝送線を含むコード１６５ｅと、が電気的に接続されている。発光制御手段１６５とコード１６５ｄとは、着脱可能なコネクタ機構を介して接続されている。発光制御手段１６５は、例えば、乗りかご１０に設置、またはかご室１０ａ内の操作盤内に設置されている。なお、コード１６５ｄは、照光扉１６１と支持フレーム１６２との間に形成される隙間に配索されている。
【００７１】
発光パターン記憶部１６５ａは、発光素子１６１ｍを構成するＬＥＤチップ内の赤色ＬＥＤ、緑色ＬＥＤおよび青色ＬＥＤの明暗パターン（色彩パターン）、各色ＬＥＤの点灯／消灯パターン、各色ＬＥＤの点滅パターン、これらの組み合わせの経時的変化パターン、背板１６１ｂの鉛直方向に間隔をおいて取り付けられた複数の発光素子１６１ｍの個々に対する発光パターン等、発光素子１６１ｍの種々の発光パターンを格納している。発光パターン記憶部１６５ａは、タイミングチャートとして発光パターンを格納していてもよいし、プログラムとして発光パターンを格納していてもよい。また、発光パターン記憶部１６５ａは、格納される発光パターンが書き換え可能であってもよい。
【００７２】
発光パターン選択部１６５ｂは、発光パターン記憶部１６５ａに格納された種々の発光パターンから、一つまたは複数の発光パターンを選択するものである。発光パターン選択部１６５ｂは、予め設定された発光パターンを選択するようにしてもよいし、複数の発光パターンを周期的に繰り返したりランダムに選択したりするようにしてもよい。また、発光パターン選択部１６５ｂは、季節、時間帯、乗客人数、乗りかご１０の停止する階数、乗りかご１０の昇降、かごドア１５の開閉などに対応する所定の発光パターンを適宜選択してもよいし、これらの発光パターンを組み合わせて選択してもよい。
【００７３】
発光制御部１６５ｃは、発光パターン選択部１６５ｂが選択した発光パターンにしたがって、発光素子１６１ｍの駆動回路を制御するものである。発光制御部１６５ｃは、発光パターン選択部１６５ｂが選択した発光パターンのタイミングチャート、またはプログラムを発光パターン記憶部１６５ａから読み出して実行する。
【００７４】
次に、上記のように構成された実施形態２に係る照光式側板１６Ａによる基本的な照光制御について説明する。
【００７５】
照光式側板１６Ａは、照光扉１６１がかご室１０ａ内側に、設定された発光パターンで照光する。ここで、発光制御手段１６５では、設定された発光パターンが発光パターン選択部１６５ｂにより発光パターン記憶部１６５ａから選択され、選択された発光パターンが発光制御部１６５ｃにより発光パターン記憶部１６５ａから読み出される。また、発光制御手段１６５では、読み出された発光パターンが発光制御部１６５ｃにより実行され、発光制御部１６５ｃにより発光素子１６１ｍの制御回路が制御され、選択された発光パターンで発光素子１６１ｍが発光される。
【００７６】
以上のように、実施形態２に係る照光式側板１６Ａによれば、上記の実施形態１に係る照光式側板１６の効果に加えて、発光素子１６１ｍから照射される光の発光パターンを制御することで、かご室１０ａ内の意匠を容易に変えることができる。つまり、実施形態２に係る照光式側板１６Ａによれば、容易に多彩なかご室１０ａ内の意匠を表現することができる。したがって、実施形態２に係る照光式側板１６Ａによれば、かご室１０ａ内の乗客に対して退屈感を与えない。
【００７７】
また、実施形態２に係る照光式側板１６Ａによれば、季節や時間帯などに応じて発光パターンを変更することで、かご室１０ａ内の乗客を飽きさせない。
【００７８】
また、実施形態２に係る照光式側板１６Ａによれば、エレベータ１の定期的なメンテナンスの際に、発光パターン記憶部１６５ａに格納される発光パターンを他の発光パターンに書き換えることで、すでにエレベータ１を利用したことのある乗客に対して、定期的に新しいかご室１０ａ内の意匠を表現することができる。
【００７９】
また、実施形態２に係る照光式側板１６Ａによれば、照光扉１６１と支持フレーム１６２との間に形成される隙間にコード１６５ｄが配索されているので、照光扉１６１と支持フレーム１６２との間に形成される隙間で動力線や伝送線をまとめやすい。このため、実施形態２に係る照光式側板１６Ａによれば、コネクタ機構によりコード１６５ｄを着脱しやすく、メンテナンスしやすい。
【００８０】
なお、上述した実施形態２に係る照光式側板１６Ａによれば、発光制御手段１６５により発光素子１６１ｍの発光パターンを制御していたが、これに限定されず、例えばエレベータ制御部４０により発光素子１６１ｍの発光パターンを制御するようにしてもよい。これにより、乗りかご１０側の発光制御手段１６５を省略し、構成を簡略化することができる。
【００８１】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１０ａ  かご室
１０ｂ  側壁
１６  照光式側板
１６１  照光扉
１６１ｃ  導光板
１６１ｍ  発光素子
１６２  支持フレーム
１６２ｎ  規制部
１６５  発光制御手段
Ｈ  ヒンジ
【図１】
0005959121.tif 000002
【図２】
0005959121.tif 000003
【図３】
0005959121.tif 000004
【図４】
0005959121.tif 000005
【図５】
0005959121.tif 000006
【図６】
0005959121.tif 000007
【図７】
0005959121.tif 000008
【図８】
0005959121.tif 000009
【図９】
0005959121.tif 000010
【図１０】
0005959121.tif 000011
【図１１】
0005959121.tif 000012
【図１２】
0005959121.tif 000013
【図１３】
0005959121.tif 000014
【図１４】
0005959121.tif 000015
【図１５】
0005959121.tif 000016
【図１６】
0005959121.tif 000017
【図１７】
0005959121.tif 000018
【図１８】
0005959121.tif 000019